(57)【要約】【課題】内燃機関を高回転又は高負荷で運転させたときでも、燃焼系部品の温度上昇を回避して故障を防止する。【解決手段】本発明は、燃料噴射量制御部３６を備えて燃料噴射量制御装置として機能するＥＣＵ２が、エンジン１の摺動抵抗が低減するまでの擦り合わせ運転期間を経過したか否かを判定する擦り合わせ運転期間判定部３５を備え、擦り合わせ運転期間判定部３５によって擦り合わせ運転期間内であると判断したとき、エンジン１の回転数が所定の回転数閾値以上で、且つスロットルバルブ２６のスロットル開度が所定の開度閾値以上である場合に、フィードバック制御を停止した状態で、基本燃料噴射量決定部３２で決定された基本燃料噴射量を増量させて最終燃料噴射量を決定し、最終燃料噴射量によってエンジン１への燃料噴射を制御することを特徴とする。【選択図】図３
2014152722.tif 000002
【特許請求の範囲】
【請求項１】
内燃機関の吸気系に設けられたスロットルバルブのスロットル開度と前記内燃機関の回転数とに基づいて基本燃料噴射量を決定する基本燃料噴射量決定手段と、
前記内燃機関の排気系から排出される排気ガスの酸素濃度に基づいて、理論空燃比を得るためのフィードバック補正係数を所定の周期で決定し、前記基本燃料噴射量と前記フィードバック補正係数とに基づいて決定される噴射量を最終燃料噴射量とするフィードバック制御手段と、を有し、
前記最終燃料噴射量によって前記内燃機関への燃料噴射を制御する燃料噴射量制御装置であって、
前記内燃機関の摺動抵抗が低減するまでの擦り合わせ運転期間を経過したか否かを判定する期間判定部を備え、
前記期間判定部によって前記擦り合わせ運転期間内であると判断したとき、前記内燃機関の回転数が所定の回転数閾値以上で、且つ前記スロットル開度が所定の開度閾値以上である場合に、前記フィードバック制御手段を停止した状態で、前記基本燃料噴射量を増量させて前記最終燃料噴射量を決定することを特徴とする燃料噴射量制御装置。
【請求項２】
前記期間判定部は、前記内燃機関の高負荷運転の累積運転時間が所定の時間閾値以下であるとき、又は前記内燃機関の回転回数が所定の回数閾値以下であるときに、前記擦り合わせ運転期間を経過したと判定することを特徴とする請求項１に記載の燃料噴射量制御装置。
【発明の詳細な説明】
【技術分野】
【０００１】
本発明は、自動二輪車等の車両に搭載される内燃機関のための燃料噴射量制御装置に関する。
【背景技術】
【０００２】
従来、自動二輪車等の車両では、新車の時、即ち、内燃機関のピストンやピストンリング、並びにシリンダ等の摺動する燃焼系部品が新品であるとき、これらの部品間の摺動部分は、表面性状の精度が十分ではない。このような内燃機関を動作させると、部品間の摺動抵抗によって、内燃機関の燃費が低下することとなる。
【０００３】
そのため、各燃焼系部品について、表面性状が高精度になるまで、即ち摺動抵抗が低減するまで十分な擦り合わせが必要であり、例えば、車両の慣らし運転が使用者に求められている。また、擦り合わせを適切に行うために、擦り合わせ用オイルを部品間に注入した状態で内燃機関を動作させることもある。
【０００４】
内燃機関としてのエンジンの擦り合わせ方法として、例えば特許文献１では、燃料成分に由来するスーツによってエンジンの擦り合わせが促進されていて、この燃料成分に由来するスーツを、燃料噴射量の増加等の、燃料の燃焼条件の制御によって増量させている。このようなスーツによってエンジンの摺動部分が研磨され、擦り合わせを短時間で行っている。
【先行技術文献】
【特許文献】
【０００５】
【特許文献１】特開２００５−２６４８８１号公報
【発明の概要】
【発明が解決しようとする課題】
【０００６】
しかしながら、車両の慣らし運転を行うべき期間でも、内燃機関を高回転又は高負荷で動作させてしまうことがある。高回転又は高負荷で動作させた内燃機関では、擦り合わせ用オイルやスーツの使用に拘らず、ピストンやピストンリングとシリンダとの摺動抵抗によって各部品が高温になり、リングのアルミ凝着等の故障が生じることがある。
【０００７】
また、例えば自動二輪車の空冷式エンジンでは、燃料の気化熱によって燃焼系部品の冷却が行われるが、近年のエンジンは低燃費を達成するように構成されており、十分な燃料冷却が期待できず、燃焼系部品の故障を招くおそれがある。
【０００８】
更に、新車の慣らし運転期間中には高速運転をすることができないので、車両を速く走らせたい運転者等のユーザーにはストレスが生じることとなる。
【０００９】
そこで、本発明は上記の事情を考慮し、内燃機関を高回転又は高負荷で運転させたときでも、燃焼系部品の温度上昇を回避して故障を防止することを目的とする。
【課題を解決するための手段】
【００１０】
本発明は、内燃機関の吸気系に設けられたスロットルバルブのスロットル開度と前記内燃機関の回転数とに基づいて基本燃料噴射量を決定する基本燃料噴射量決定手段と、前記内燃機関の排気系から排出される排気ガスの酸素濃度に基づいて、理論空燃比を得るためのフィードバック補正係数を所定の周期で決定し、前記基本燃料噴射量と前記フィードバック補正係数とに基づいて決定される噴射量を最終燃料噴射量とするフィードバック制御手段と、を有し、前記最終燃料噴射量によって前記内燃機関への燃料噴射を制御する燃料噴射量制御装置であって、前記内燃機関の摺動抵抗が低減するまでの擦り合わせ運転期間を経過したか否かを判定する期間判定部を備え、前記期間判定部によって前記擦り合わせ運転期間内であると判断したとき、前記内燃機関の回転数が所定の回転数閾値以上で、且つ前記スロットル開度が所定の開度閾値以上である場合に、前記フィードバック制御手段を停止した状態で、前記基本燃料噴射量を増量させて前記最終燃料噴射量を決定することを特徴とする。
【００１１】
このような構成を採用することで、燃料噴射量制御装置は、内燃機関の擦り合わせ運転期間内である場合に、内燃機関の現在の回転数と現在のスロットル開度とを監視している。そのため、燃料噴射量制御装置は、上記回転数及び上記スロットル開度が、擦り合わせのために設定される上限値としての閾値以上であるか否かを判定し、それぞれが閾値以上である場合に、燃焼系部品が故障するほどの温度上昇を予測して、擦り合わせ運転用の制御を実行することができる。また、燃料噴射量制御装置は、擦り合わせ運転用の制御において、排気ガスの酸素濃度に基づくフィードバック制御を停止した状態で、内燃機関への燃料噴出量を強制的に所定量だけ増量するように制御している。そのため、内燃機関の燃焼系部品が新品であって擦り合わせを要する慣らし運転期間中において、内燃機関の回転数やスロットル開度が所定の閾値を超えた場合でも、内燃機関に供給される燃料噴射量が増量しているため、増量した燃料によって燃焼系部品を確実に冷却することができる。従って、燃料噴射量制御装置は、擦り合わせ運転のための上限値を超えた高回転又は高負荷で内燃機関を運転させたときに、燃料噴射量を増量することによって、燃焼系部品の温度上昇を回避して故障を防止することが可能となる。
【００１２】
前記期間判定部は、前記内燃機関の高負荷運転の累積運転時間が所定の時間閾値以下であるとき、又は前記内燃機関の回転回数が所定の回数閾値以下であるときに、前記擦り合わせ運転期間を経過したと判定する。
【００１３】
このような構成を採用することで、擦り合わせ運転期間の経過を自動的に確実に判断するため、運転者等のユーザーが擦り合わせ運転期間を意識することなく、擦り合わせ運転時と通常運転時とで内燃機関の冷却の制御が切り換えられるので、ユーザーの精神的負担を軽減することが可能となる。
【発明の効果】
【００１４】
本発明によれば、内燃機関を高回転又は高負荷で運転させたときでも、燃焼系部品の温度上昇を回避して故障を防止することが可能となる。
【図面の簡単な説明】
【００１５】
【図１】本発明の一実施形態に係る内燃機関を示す断面図である。
【図２】本発明の一実施形態に係る内燃機関の一部の部品、及び燃料噴射量制御装置として機能する制御装置を示すブロック図である。
【図３】本発明の一実施形態に係る内燃機関のための燃料噴射量制御装置の動作を示すフローチャートである。
【発明を実施するための形態】
【００１６】
以下、本発明の実施形態について、添付の図面を参照しながら説明する。図１は、本発明の一実施形態に係る内燃機関を示す断面図である。本実施形態では、自動二輪車等の車両に搭載される内燃機関としてのエンジン１について、このエンジン１の各部を制御するための制御装置であるエンジンコントロールユニット（ＥＣＵ）２（図２参照）を本発明に係る燃料噴出量制御装置として機能させる場合について説明する。なお、図１に付される矢印Ｆｒは、エンジン１の前方を示していて、以下、紙面手前側を右方とし、紙面奥側を左方として説明する。
【００１７】
まず、図１を用いて、エンジン１の概要について説明する。エンジン１は、例えばＤＯＨＣ式の空冷単気筒エンジンであり、クランクケース３と、クランクケース３の前方に連通して結合されたシリンダ４と、シリンダ４の前方に連通して結合されたシリンダヘッド５とを備えている。また、シリンダヘッド５には、吸気管６及び排気管７が別々に連通して結合され、更に、吸気管６には、シリンダヘッド５と反対側の端部にスロットルボディ８が連通して結合されている。
【００１８】
クランクケース３内には、エンジン１のクランク軸１０が左右方向に沿って軸支されていて、クランクケース３には、クランク軸１０の回転数、即ちエンジン１の回転数（機関回転数）を検出するための回転数センサ１１が取り付けられている。なお、回転数センサ１１は、ＥＣＵ２と接続されていて、検出した回転数をＥＣＵ２へと出力する。
【００１９】
クランク軸１０には、クランク軸１０よりも直径の大きいフライホイール等の回転部材１２がこのクランク軸１０と同軸で固定されている。また、回転部材１２の側面には、クランク軸１０から離間した位置に、コネクティングロッド１３の一端部が取り付けられ、クランク軸８と平行な軸で回転自在に設けられている。コネクティングロッド１３の他端部は、シリンダ４内へと延在している。
【００２０】
シリンダ４内には、ピストン１４が摺動可能に設けられ、ピストン１４の後部には、コネクティングロッド１３の他端部が回転自在に取り付けられている。ピストン１４の外周には溝部が形成され、この溝部にピストンリング１５が嵌合されている。また、シリンダ４の外壁には、シリンダ４、ピストン１４及びピストンリング１５等の摺動する燃焼系部品の温度を検出するための機温センサ１６が取り付けられている。なお、機温センサ１６は、ＥＣＵ２と接続されていて、検出した温度をＥＣＵ２へと出力する。
【００２１】
シリンダヘッド５の内部は、ピストン１４でシリンダ４側が仕切られた燃焼室１７を有している。燃焼室１７には、シリンダ４と反対側に吸気口１８と排気口１９とが設けられ、シリンダヘッド５の内部が燃焼室１７から、吸気口１８を介した吸気路２０と、排気口１９を介した排気路２１とに分岐している。また、シリンダヘッド５内には、吸気口１８及び排気口１９をそれぞれ開閉するための吸気バルブ２２及び排気バルブ２３が備えられる。
【００２２】
吸気管６及び排気管７は、それぞれ吸気路２０及び排気路２１と連通するようにシリンダヘッド５に結合されている。
【００２３】
吸気管６には、燃料タンク（図示せず）とホースなどを介して接続される燃料噴射装置としてのインジェクタ２４が外側から内部に挿入されるように取り付けられる。吸気管６は、スロットルボディ８から供給される空気とインジェクタ２４で噴射される燃料とを混合して吸気路２０及び吸気口１８を介してシリンダヘッド５の燃焼室１７へと供給する。なお、インジェクタ２４は、ＥＣＵ２と接続されていて、ＥＣＵ２によって燃料噴射量が制御されている。
【００２４】
排気管７は、燃焼室１７から排気口１９及び排気路２１を通って来た排気ガスを、マフラー（図示せず）を介して外部へと排出する。排気管７には、その内部を通る排気ガスの酸素濃度を検出するための酸素センサ２５が取り付けられている。なお、酸素センサ２５は、ＥＣＵ２と接続されていて、ＥＣＵ２がフィードバック制御の実行中である場合に動作して、検出した酸素濃度をＥＣＵ２へと出力する。
【００２５】
スロットルボディ８は、エアクリーナ（図示せず）を介して外部から導入される空気を吸気管６へと供給するものである。スロットルボディ８内には、運転者のアクセル操作によって開閉するスロットルバルブ２６が設けられ、スロットルバルブ２６のスロットル開度を調整することで、スロットルボディ８から吸気管６に導入される吸気量が調整される。スロットルバルブ２６には、スロットル開度を検出するためのスロットルポジションセンサ２７が取り付けられる。なお、スロットルポジションセンサ２７は、ＥＣＵ２と接続されていて、検出したスロットル開度をＥＣＵ２へと出力する。
【００２６】
次に、図２を参照しながら、ＥＣＵ２について説明する。図２は、本発明の一実施形態に係る内燃機関の一部の部品、及び燃料噴射量制御装置として機能する制御装置を示すブロック図である。
【００２７】
ＥＣＵ２は、例えば、エンジン１の制御処理を実行するＣＰＵ３０と、各種情報を記憶する記憶部３１とを備えて構成される。また、ＥＣＵ２は、ＣＰＵ３０によって実行される基本燃料噴射量決定部３２と、フィードバック補正係数決定部３３と、燃料噴射量フィードバック補正部３４と、擦り合わせ運転期間判定部（期間判定部）３５と、燃料噴射量制御部３６とを有していて燃料噴射量制御装置として機能する。なお、フィードバック補正係数決定部３３と燃料噴射量フィードバック補正部３４とは、ＥＣＵ２がフィードバック制御中である場合に実行されるフィードバック制御手段として機能する。
【００２８】
記憶部３１は、エンジン１の回転数とスロットルバルブ２６のスロットル開度との様々な組み合わせに応じて予め定められる基本燃料噴射量のマップを記憶する。なお、記憶部３１は、排気管７内の排気ガスの様々な酸素濃度又はこの酸素濃度より求まる空燃比に応じて予め定められるフィードバック補正係数のマップを記憶してもよい。
【００２９】
基本燃料噴射量決定部３２は、回転数センサ１１で検出されたエンジン１の回転数と、スロットルポジションセンサ２７で検出されたスロットルバルブ２６のスロットル開度とに基づいて、記憶部３１の基本燃料噴射量マップを参照し、基本燃料噴射量を決定する。なお、基本燃料噴射量決定部３２は、基本燃料噴射量の決定方法については、基本燃料噴射量マップの参照に限定されず、回転数とスロットル開度とを用いた関数により基本燃料噴射量を算出するように構成することもできる。
【００３０】
フィードバック補正係数決定部３３は、所定の周期で、酸素センサ２５で検出された排気管７内の排気ガスの酸素濃度に基づいて、理論空燃比（ストイキオメトリー）を得るためのフィードバック補正係数を決定する。フィードバック補正係数決定部３３は、例えば、酸素濃度又は空燃比に基づいてフィードバック補正係数マップを参照することによりフィードバック補正係数を決定するように構成されてよい。なお、フィードバック補正係数決定部３３は、フィードバック補正係数の決定方法については、フィードバック補正係数マップの参照に限定されず、酸素濃度又は空燃比を用いた関数の演算によりフィードバック補正係数を決定するように構成することもできる。
【００３１】
燃料噴射量フィードバック補正部３４は、基本燃料噴射量決定部３２で決定した基本燃料噴射量と、フィードバック補正係数決定部３３で決定したフィードバック補正係数とに基づいて、インジェクタ２４に供給すべき最終燃料噴射量を決定する。例えば、燃料噴射量フィードバック補正部３４は、基本燃料噴射量にフィードバック補正係数を乗算することにより最終燃料噴射量を決定し、即ち、フィードバック補正係数が１．０の場合には、基本燃料噴射量がそのまま最終燃料噴射量となる。
【００３２】
擦り合わせ運転期間判定部３５は、シリンダ４、ピストン１４及びピストンリング１５等の燃焼系部品が新品である車両又はエンジン１の製造時や出荷時、或いは各燃焼系部品の交換時等の所定の初期時点から、これらの燃焼系部品の摺動抵抗が低減するまでの擦り合わせ運転期間（例えば、実走５００〜１０００ｋｍに相当する期間）を経過したか否かを判定する。擦り合わせ運転期間判定部３５は、例えば、所定の初期時点から、エンジン１の高負荷運転の累積運転時間又はエンジン１の累積回転数である回転回数を計数して、所定の時間閾値以下又は回数閾値以下のときに、擦り合わせ運転期間内であると判定する。なお、擦り合わせ運転期間、即ち所定の時間閾値や所定の回数閾値は、予め設定されて記憶部３１に記憶されるが、エンジン１の機種ごとに異なる。
【００３３】
燃料噴射量制御部３６は、擦り合わせ運転期間判定部３５の判定結果や、エンジン１の回転数及びスロットルバルブ２６のスロットル開度に応じて、インジェクタ２４の燃料噴射量の制御を切り換える。例えば、燃料噴射量制御部３６は、擦り合わせ運転期間判定部３５で擦り合わせ運転期間内であることが判定され、且つ、上記回転数が所定の回転数閾値（例えば、１／２Ｓ）以上で、上記スロットル開度が所定の開度閾値（例えば、１／２の開度）以上であるときには擦り合わせ運転モードで、また、それ以外のときには通常モードで制御を行う。これらの所定の回転数閾値及び所定の開度閾値は、擦り合わせのために設定される上限値で、即ち、燃焼系部品が故障するほどに温度上昇させないでエンジン１を動作させるための回転数及びスロットル開度の上限値である。なお、所定の回転数閾値及び所定の開度閾値は、予め設定されて記憶部３１に記憶されるが、エンジン１の機種ごとに異なる。
【００３４】
通常モードの燃料噴射量制御部３６は、ＥＣＵ２がフィードバック制御中である場合には、基本燃料噴射量決定部３２、並びにフィードバック補正係数決定部３３及び燃料噴射量フィードバック補正部３４を実行し、燃料噴射量フィードバック補正部３４で決定した最終燃料噴射量で燃料を噴射させるようにインジェクタ２４を制御する。一方、燃料噴射量制御部３６は、ＥＣＵ２のフィードバック制御が停止中である場合には、基本燃料噴射量決定部３２のみを実行し、基本燃料噴射量決定部３２で決定した基本燃料噴射量を最終燃料噴射量としてインジェクタ２４を制御する。
【００３５】
これに対して、擦り合わせ運転モードの燃料噴射量制御部３６は、ＥＣＵ２がフィードバック制御中である場合には、フィードバック制御を停止する。また、燃料噴射量制御部３６は、基本燃料噴射量決定部３２を実行し、フィードバック制御を停止した状態のまま、基本燃料噴射量決定部３２で決定した基本燃料噴射量に所定量（例えば、基本燃料噴射量の５％）を増量した噴射量を最終燃料噴射量としてインジェクタ２４を制御する。
【００３６】
次に、このような構成を備えた燃料噴射量制御装置としてのＥＣＵ２によるインジェクタ２４の燃料噴射量の制御動作について図３を参照しながら説明する。図３は、本発明の一実施形態に係る内燃機関のための燃料噴射量制御装置の動作を示すフローチャートである。
【００３７】
初めに、シリンダ４、ピストン１４及びピストンリング１５等の燃焼系部品が新品である車両又はエンジン１の製造時や出荷時、或いは各燃焼系部品の交換時等の所定の初期時点において、ＥＣＵ２を設定可能な作業員等によってＥＣＵ２が操作されて、擦り合わせ運転期間判定部３５によるエンジン１の高負荷運転の累積運転時間又はエンジン１の回転回数の計数が初期化される。
【００３８】
そして、このエンジン１を始動させると（Ｓ１０１）、ＥＣＵ２では、擦り合わせ運転期間判定部３５によるエンジン１の高負荷運転の累積運転時間又はエンジン１の回転回数の計数が開始される（Ｓ１０２）。また、ＥＣＵ２の燃料噴射量制御部３６では、インジェクタ２４における燃料噴射量の制御が開始される。
【００３９】
燃料噴射量制御部３６の燃料噴射量制御では、先ず、擦り合わせ運転期間判定部３５が実行され、エンジン１の高負荷運転の累積運転時間又はエンジン１の回転回数が、所定の時間閾値以下又は回数閾値以下であるか否かが判定される（Ｓ１０３）。
【００４０】
エンジン１の累積運転時間又は回転回数が所定の時間閾値又は回数閾値を超えている場合には（Ｓ１０３：ＮＯ）、後述する燃料噴射量制御部３６による通常モードの制御に移行する（Ｓ１０４）。
【００４１】
一方、エンジン１の累積運転時間又は回転回数が所定の時間閾値以下又は回数閾値以下である場合には（Ｓ１０３：ＹＥＳ）、燃料噴射量制御部３６において、回転数センサ１１で検出したエンジン１の現在の回転数が、所定の回転数閾値以上であるか否かが判定される（Ｓ１０５）。
【００４２】
エンジン１の現在の回転数が所定の回転数閾値に満たない場合には（Ｓ１０５：ＮＯ）、燃料噴射量制御部３６による通常モードの制御に移行する（Ｓ１０４）。
【００４３】
一方、エンジン１の現在の回転数が所定の回転数閾値以上である場合には（Ｓ１０５：ＹＥＳ）、燃料噴射量制御部３６において、スロットルポジションセンサ２７で検出したスロットルバルブ２６の現在のスロットル開度が、所定の開度閾値以上であるか否かが判定される（Ｓ１０６）。
【００４４】
スロットルバルブ２６の現在のスロットル開度が所定の開度閾値に満たない場合には（Ｓ１０６：ＮＯ）、燃料噴射量制御部３６による通常モードの制御に移行する（Ｓ１０４）。
【００４５】
一方、スロットルバルブ２６の現在のスロットル開度が所定の開度閾値以上である場合には（Ｓ１０６：ＹＥＳ）、燃料噴射量制御部３６による擦り合わせ運転モードの制御に移行する（Ｓ１０７）。
【００４６】
上記通常モードの制御において、燃料噴射量制御部３６では、先ず、ＥＣＵ２がフィードバック制御中であるか否かが判定される（Ｓ１０４）。
【００４７】
ＥＣＵ２がフィードバック制御中である場合（Ｓ１０４：ＹＥＳ）、燃料噴射量制御部３６により基本燃料噴射量決定部３２、並びにフィードバック補正係数決定部３３及び燃料噴射量フィードバック補正部３４が実行され、燃料噴射量フィードバック補正部３４により基本燃料噴射量及びフィードバック補正係数に基づいて最終燃料噴射量が決定される（Ｓ１０８）。
【００４８】
一方、ＥＣＵ２がフィードバック制御を停止している場合（Ｓ１０４：ＮＯ）、燃料噴射量制御部３６により基本燃料噴射量決定部３２のみが実行され、基本燃料噴射量決定部３２で決定した基本燃料噴射量がそのまま最終燃料噴射量として決定される（Ｓ１０９）。
【００４９】
また、上記擦り合わせ運転モードの制御において、燃料噴射量制御部３６では、先ず、ＥＣＵ２がフィードバック制御中であるか否かが判定される（Ｓ１０７）。
【００５０】
ＥＣＵ２がフィードバック制御中である場合（Ｓ１０７：ＹＥＳ）、燃料噴射量制御部３６によりフィードバック制御が停止されてから（Ｓ１１０）、最終燃料噴射量の決定へと移行する（Ｓ１１１）。
【００５１】
一方、ＥＣＵ２がフィードバック制御を停止している場合（Ｓ１０７：ＮＯ）、そのまま最終燃料噴射量の決定へと移行する（Ｓ１１１）。
【００５２】
擦り合わせ運転モードでの最終燃料噴射量の決定（Ｓ１１１）では、燃料噴射量制御部３６により基本燃料噴射量決定部３２が実行され、フィードバック制御を停止した状態のまま、基本燃料噴射量決定部３２で決定した基本燃料噴射量に所定量を増量して最終燃料噴射量が決定される。
【００５３】
通常モード及び擦り合わせ運転モードの何れにおいても、最終燃料噴射量の決定（Ｓ１０８、Ｓ１０９、Ｓ１１１）の後、燃料噴射量制御部３６によって、決定された最終燃料噴射量でインジェクタ２４が制御される（Ｓ１１２）。そして、ステップＳ１０３へと戻って燃料噴射量の制御が繰り返される。この燃料噴射量の制御は、エンジン１が停止するまで繰り返される。
【００５４】
本実施形態によれば、燃料噴射量制御部３６は、エンジン１の擦り合わせ運転期間内である場合に、エンジン１の現在の回転数と、スロットルバルブ２６の現在のスロットル開度とを監視している。そのため、燃料噴射量制御部３６は、上記回転数及び上記スロットル開度が、擦り合わせのために設定される上限値としての閾値以上であるか否かを判定し、それぞれが閾値以上である場合に、燃焼系部品が故障するほどの温度上昇を予測して、擦り合わせ運転モードでの制御を実行することができる。
【００５５】
また、燃料噴射量制御部３６は、擦り合わせ運転モードにおいて、排気ガスの酸素濃度に基づくフィードバック制御を停止した状態で、インジェクタ２４の燃料噴出量を強制的に所定量だけ増量するように制御している。そのため、エンジン１の燃焼系部品が新品であって擦り合わせを要する慣らし運転期間中において、エンジン１の回転数やスロットルバルブ２６のスロットル開度が所定の閾値を超えた場合でも、エンジン１に供給される燃料噴射量が増量しているため、増量した燃料によって燃焼系部品を確実に冷却することができる。従って、燃料噴射量制御装置としてのＥＣＵ２は、擦り合わせ運転のための上限値を超えた高回転又は高負荷でエンジン１を運転させたときに、燃料噴射量を増量することによって、燃焼系部品の温度上昇を回避して故障を防止することが可能となる。
【００５６】
更に、本実施形態によれば、擦り合わせ運転期間判定部３５が、エンジン１の高負荷運転の累積運転時間又はエンジン１の回転回数の計数結果に基づいて、エンジン１の擦り合わせ運転期間の経過を判定している。従って、擦り合わせ運転期間の経過が自動的に確実に判断されるため、運転者等のユーザーが擦り合わせ運転期間を意識することなく、擦り合わせ運転時と通常運転時とでエンジン１の冷却の制御が切り換えられるので、ユーザーの精神的負担を軽減することが可能となる。
【００５７】
また、新車の慣らし運転期間中であっても、上記のように燃焼系部品の温度上昇を回避して故障を防止することができるため、車両の高速運転が可能となり、車両を速く走らせたい運転者等のユーザーのストレスを解消することもできる。
【００５８】
車両やエンジン１の認証テストは、通常、擦り合わせ運転期間経過後に行われるため、認証テストに影響を与えることもない。
【００５９】
本実施形態では、エンジン１の高負荷運転の累積運転時間が所定の時間閾値以下であるとき、又はエンジン１の回転回数が所定の回数閾値以下であるときに、擦り合わせ運転期間を経過したと判定することについて説明したが、擦り合わせ運転期間を判定する条件はこれらに限定されない。例えば、擦り合わせ運転期間判定部３５は、高負荷運転時に機温センサ１６で燃焼系部品の温度を検出し、この温度が所定の温度閾値以下であるときに、擦り合わせ運転期間を経過したと判定する等、他の条件に基づいて擦り合わせ運転期間の経過を判定しても良い。
【００６０】
また、本実施形態では、自動二輪車等の車両の内燃機関に本発明の構成を適用する場合について説明したが、他の異なる実施形態では、四輪車、不整地走行車両、船外機等の他の車両の内燃機関に本発明の構成を適用しても良い。また、本実施形態では、空冷式の内燃機関に本発明の構成を適用する場合について説明したが、他の異なる実施形態では、水冷式、油冷式等の他の冷却方式の内燃機関に本発明の構成を適用しても良い。
【符号の説明】
【００６１】
１  エンジン（内燃機関）
２  エンジンコントロールユニット（ＥＣＵ）（制御装置）
１１  回転数センサ
２４  インジェクタ（燃焼噴射装置）
２５  酸素センサ
２６  スロットルバルブ
２７  スロットルポジションセンサ
３２  基本燃料噴射量決定部
３３  フィードバック補正係数決定部
３４  燃料噴射量フィードバック補正部
３５  擦り合わせ運転期間判定部（期間判定部）
３６  燃料噴射量制御部
【図１】
2014152722.tif 000003
【図２】
2014152722.tif 000004
【図３】
2014152722.tif 000005